(57)【要約】【課題】殺菌容器のユーザ利便性を向上すること。【解決手段】本発明の殺菌容器１は、液体を収容可能な容器２と、この容器２の内部に配置されると共に、容器２に液体が入れられた場合に液体に含まれる微生物を死滅させる殺菌装置３と、電力を生成しこの生成した電力を殺菌装置３に供給する電力発生装置４とを備えた構成とする。これにより、ユーザが水道設備の整っていない地域に長期間滞在するとき、或いは災害時に、この殺菌容器１を長時間使用しても、電池切れを心配する必要がないので、殺菌容器１のユーザ利便性を向上することができる。【選択図】図１
2013075257.tif 000002
【特許請求の範囲】
【請求項１】
液体を収容可能な容器と、
前記容器の内部に配置されると共に、前記容器に液体が入れられた場合に液体に含まれる微生物を死滅させる殺菌装置と、
電力を生成しこの生成した電力を前記殺菌装置に供給する電力発生装置とを備えた殺菌容器。
【請求項２】
前記容器の飲用口と前記容器の給水口とが異なる位置に設けられた請求項１に記載の殺菌容器。
【請求項３】
前記殺菌装置は、波長１０ｎｍ〜波長３８０ｎｍの紫外線を放射する紫外線放射装置である請求項１に記載の殺菌容器。
【請求項４】
前記殺菌装置は、波長２００ｎｍ〜波長３００ｎｍの紫外線を放射する紫外線放射装置である請求項１に記載の殺菌容器。
【請求項５】
前記殺菌装置は、波長２５０ｎｍ〜波長２６０ｎｍの紫外線を放射する紫外線放射装置である請求項１に記載の殺菌容器。
【請求項６】
前記電力発生装置は、前記殺菌容器が振られることで電力を生成する振動発電部を有する請求項１に記載の殺菌容器。
【請求項７】
前記電力発生装置は、電磁誘導によって電力を生成する請求項１に記載の殺菌容器。
【請求項８】
前記電力発生装置は、前記容器内に配置され、紫外線を透過する第１の筒と、前記第１の筒に巻回されたコイルと、前記第１の筒内を可動な磁石と、前記第１の筒を覆うように配置されると共に紫外線を透過する第２の筒を有し、
前記殺菌装置は、紫外線を放射する紫外線放射装置が前記第１の筒と前記第２の筒との間に配置された構成である請求項１に記載の殺菌容器。
【請求項９】
前記殺菌装置は、紫外線を放射する紫外線放射装置であり、
前記容器の内壁面を覆う反射膜を備え、
紫外線波長領域おける前記反射膜の反射率は前記容器の内壁面の反射率より高い請求項１に記載の殺菌容器。
【請求項１０】
紫外線波長領域における前記容器若しくは前記容器に貼付された反射膜の透過率より可視光波長領域における前記容器若しくは前記容器に貼付された反射膜の透過率が高い請求項１に記載の殺菌容器。
【請求項１１】
前記殺菌装置の動作中に音と可視光の少なくとも一方を発する報知部を備えた請求項１に記載の殺菌容器。
【請求項１２】
前記殺菌装置の動作開始から所定時間経過後に音と可視光の少なくとも一方を発する報知部を備えた請求項１に記載の殺菌容器。
【請求項１３】
前記電力発生装置は振動発電部を有すると共に、前記容器の内壁面には突起部が設けられた請求項１に記載の殺菌容器。
【請求項１４】
前記電力発生装置は、前記殺菌容器の外面に設けられると共にユーザが可動なハンドルと、前記ハンドルの動きに基づいて電力を生成しこの生成した電力を前記殺菌装置に供給するダイナモ装置を備えた請求項１に記載の殺菌容器。
【請求項１５】
前記容器の内部に配置されると共に前記ハンドルの動きに連動して前記容器に入れられた液体を撹拌するフィンを備えた請求項１４に記載の殺菌容器。
【発明の詳細な説明】
【技術分野】
【０００１】
本発明は液体に含まれる微生物を殺菌する殺菌容器に関するものである。
【背景技術】
【０００２】
従来の殺菌装置について、図面を用いて説明する。図７は、従来の殺菌装置の透視模式図である。
【０００３】
図７において、従来の殺菌容器１０１は、液体を収容可能な容器１０２と、容器１０２の内部に配置されると共に、容器１０２に液体が入れられた場合に液体に含まれる細菌類等の微生物を死滅させる紫外線ランプを有する殺菌装置１０３と、外部から電力供給を受けてこの電力を安定器１０４を介して殺菌装置１０３に供給する電源装置１０５とを備える。
【０００４】
ユーザは、飲用蓋１０６を開けて容器１０２の開口部１０７から水を容器１０２に注入し、飲用蓋１０６を閉めた後に、スイッチ１０８を押下する。これにより、電源装置１０５から電力供給を受けた殺菌装置１０３が紫外線を放射することで、水に含まれる微生物を死滅させる。これにより、ユーザは細菌類等の微生物の少ない、より安全な水を得ることができる。
【０００５】
尚、本発明に関連する先行文献として例えば特許文献１〜３が挙げられる。
【先行技術文献】
【特許文献】
【０００６】
【特許文献１】特開２００３−２５１３４２号公報
【特許文献２】特開２００８−０２３４４７号公報
【特許文献３】特開２００６−１１６５３６号公報
【発明の概要】
【発明が解決しようとする課題】
【０００７】
しかしながら、電源装置１０５が外部から電力供給を受けないと、殺菌容器１０１は動作しないので、電力供給の受けられない場所ではこの殺菌容器１０１を使用できなかった。また、仮に電源装置１０５が電池を有していても、この殺菌容器１０１を長期間使用し続けると、必要なときに電池切れになる等、ユーザの利便性が悪かった。
【０００８】
そこで、本発明は、殺菌容器のユーザ利便性を向上することを目的とする。
【課題を解決するための手段】
【０００９】
上記目的を達成するために、本発明の殺菌容器は、液体を収容可能な容器と、この容器の内部に配置されると共に、容器に液体が入れられた場合に液体に含まれる微生物を死滅させる殺菌装置と、電力を生成しこの生成した電力を殺菌装置に供給する電力発生装置とを備えた構成とする。
【発明の効果】
【００１０】
上記構成により、殺菌容器が外部から電力供給を受けなくとも、殺菌容器を動作させることが可能となるので、ユーザは電気供給の受けられない場所でもこの殺菌容器を使用することができる。また、ユーザが水道設備の整っていない地域に長期間滞在するとき、或いは災害時に、この殺菌容器を長時間使用しても、電池切れを心配する必要がないので、殺菌容器のユーザ利便性を向上することができる。
【図面の簡単な説明】
【００１１】
【図１】本発明の実施の形態１の殺菌容器の透視模式図
【図２】本発明の実施の形態１の殺菌容器の回路図
【図３】本発明の実施の形態１の殺菌容器の回路図
【図４】本発明の実施の形態１の殺菌容器の透視模式図
【図５】本発明の実施の形態２の殺菌容器の透視模式図
【図６】本発明の実施の形態３の殺菌容器の透視模式図
【図７】従来の殺菌容器の透視模式図
【発明を実施するための形態】
【００１２】
（実施の形態１）
以下、本発明の実施の形態１の殺菌容器について、図面を用いて説明する。図１は、本発明の実施の形態１の殺菌容器１の透視模式図である。
【００１３】
図１において、殺菌容器１は、水を収容可能な容器２と、この容器２の内部に配置されると共に、容器２に水が入れられた場合に水に含まれる細菌類等の微生物を死滅させる殺菌装置３と、電力を生成しこの生成した電力を殺菌装置３に供給する電力発生装置４とを備える。尚、本特許でいう「殺菌」若しくは「微生物を死滅させる」は、「微生物を殺す」という意味以外にも「微生物を無害化する」という意味も含む。
【００１４】
この構成により、殺菌容器１が外部から電力供給を受けなくとも、殺菌容器１を動作させることが可能となるので、ユーザは電気供給の受けられない場所でもこの殺菌容器１を使用することができる。また、例えば、ユーザが水道設備の整っていない地域に長期間滞在するとき、或いは災害時に、この殺菌容器１を長時間使用しても、電池切れを心配する必要がないので、殺菌容器１のユーザ利便性を向上することができる。
【００１５】
以下、殺菌容器１の各構成について詳述する。
【００１６】
殺菌容器１は、容器２に注入された水に含まれる細菌類等の微生物を死滅させる携帯可能な飲用容器である。この殺菌容器１は、容器２の底の中心と容器２の飲用口を塞ぐ飲用蓋５の中心とを結ぶ軸６を回転軸とする略回転体であるが、この形状に限るものでない。尚、殺菌容器は、容器２に収容された飲料水を殺菌する飲用用途の他に、例えば、コンタクトレンズ殺菌容器、哺乳瓶殺菌容器、入れ歯殺菌容器、髭剃り殺菌容器、歯ブラシ殺菌容器等であっても良い。即ち、殺菌容器１は、ある対象物を洗浄する液体（水等）の殺菌用途、若しくはある対象物と共に液体（水等）を殺菌する用途であっても良い。
【００１７】
容器２は、アルミニウム、ステンレス等の金属、若しくはポリエチレンテレフタレート等の樹脂からなるが、液体を収容可能な材質であれば何でも構わない。この容器２の容積が１ミリリットル〜５リットル程度であれば、ユーザが殺菌容器１を手に持って振ることができ、電力発生装置４による振動発電が可能となる。尚、殺菌容器１を飲用容器として用いるときは、容器２の容積が１００ミリリットル〜３リットル程度である場合に、ユーザ利便性が高い。また、容器２の飲用口を含む給水用蓋１９（容器２の頭部の略円錐形状の部分）が取り外し可能な構成であることが望ましい。このように、容器２の飲用口と容器２の給水口２０とを異なる位置に設けることで、微生物を含む水が付着する可能性のある給水口２０にユーザが口をつける必要がなくなる為、衛生的である。
【００１８】
殺菌装置３は、波長１０ｎｍ〜波長３８０ｎｍの紫外線を放射する紫外線放射装置である。この殺菌装置３は、容器２内に備えられた電力発生装置４内に設けられていても良いし、容器２の内壁面に固定されていても良い。但し、殺菌装置３は容器２内の何所に設けられていても殺菌装置３への水の浸水を防止するために防水処理されている。また、殺菌装置３として紫外線を放射する発光ダイオードを用いることが耐衝撃性や耐久性の観点から望ましいが、紫外線を放射する蛍光灯など他の紫外線放射装置でも良い。紫外線の波長が２００ｎｍ〜３００ｎｍのとき、紫外線は微生物に対して高い殺傷力を有する。特に、その波長が波長２５０ｎｍ〜波長２６０ｎｍの場合に、紫外線の微生物に対する殺傷力は最大値を有する。微生物の中でも真菌類、芽胞菌類、枯草菌、炭疽菌等は紫外線耐性が高いが、例えば、紫外線波長がＵＶ−Ｃ領域の場合、これら微生物に対し、例えば、照度１０ｍＷ／ｃｍ2で１０秒間以上紫外線を放射すると、水中のほとんどの微生物が死滅する。尚、殺菌装置３は、超音波発生装置、電流発生装置、熱発生装置、微細泡発生装置、電気分解装置等、他の殺菌装置でも構わない。
【００１９】
電力発生装置４は、殺菌容器１がユーザに振られることで電力を生成する振動発電部１２を有する。殺菌装置３から相対的に遠い水中に存在する微生物は、相対的に近い水中に存在する微生物より生存確率は高くなる。特に、殺菌装置３が紫外線放射装置である場合、殺菌装置３から相対的に遠い水中に存在する微生物は、微生物等の陰に隠れて紫外線に照射されない可能性が高くなる。また、例えば、殺菌装置３が電流発生装置である場合、殺菌装置３から相対的に遠い水中においては殺菌装置３から相対的に近い水中と比較して電流が流れにくく、水中の微生物の死滅割合が低くなる。そこで、電力を発生させる際にユーザが殺菌容器１を振ると容器２内の水が撹拌し、殺菌装置３から遠い水中に存在する微生物が殺菌装置３に近づくことで、水中の微生物の死滅割合を大幅に高めることができる。言い換えると、殺菌装置３を動作させようと電力を発生させる際、ユーザが忘れずに水を撹拌させることができ、水中の微生物の死滅割合が大幅に高まる。若しくは、水中における所定割合の微生物の死滅時間が短くなる。また、振動による発電を終えた後も暫くの時間は水の流動が続くので、振動発電の終了後であって殺菌装置３の動作中においても水中の微生物の死滅割合を高めることができる。尚、紫外線の直進性が高いため、殺菌装置３が紫外線放射装置の場合には、容器２内の水を撹拌させることが水中の微生物の死滅割合を高める手段として格別に有効である。
【００２０】
具体的には、電力発生装置４は、振動発電部１２と電源回路部１３とを備えると共に、例えば、容器２の底部に設けられて、さらに防水加工されている。振動発電部１２は、容器２の底に固定された第１の筒７と、第１の筒７に巻回されたコイル８と、第１の筒７内を可動な磁石９と、第１の筒７を覆うように配置されると共に紫外線の透過率が９０％以上の材質である第２の筒１０と第１の筒７と第２の筒１０の上端を覆う蓋部１１を有する。これら第１の筒７、第２の筒１０、或いは蓋部１１は、ガラスでも良いが、耐衝撃性の観点から樹脂が望ましい。尚、第２の筒１０に加えて、第１の筒７も紫外線の透過率が９０％以上の材質である場合は、水中における紫外線の照射部位が広がり、水中の微生物の死滅割合を高めることができる。例えば、これら第１の筒７と第２の筒１０が軸６を中心軸とした回転体であるとき、コイル８は軸６に沿って動く。このような構成において、殺菌装置３（紫外線放射装置）は第１の筒７と第２の筒１０との間に配置される。これらコイル８や殺菌装置３への浸水を防止するために、振動発電部１２の下端を容器２の底で覆うことで、振動発電部１２の内部を密閉空間としている。磁石９の形状は、第１の筒７の軸６に垂直な断面と相似な底面を有する柱形状であっても良い。尚、第１の筒７の前記断面が円形の場合は、磁石９の形状は球形でも良い。さらにまた、磁石９と第１の筒７との間に潤滑油を入れることで、両者の摩擦を減らしても良い。また、この振動発電部１２を容器２の側面に設けられた取手（図示せず）内に設けることで、容器２の容積を確保しても良い。
【００２１】
上記のように、電力発生装置４は、発生する起電力が高いという観点から、電磁誘導によって電力を生成する振動発電部１２を有することが望ましい。ただ、この電力発生装置４は、静電容量の変化によって電力を生成する振動発電部、若しくは、圧電効果によって電力を生成する振動発電部など、他の原理で発電する振動発電部を有していても良い。
【００２２】
このように、電力発生装置４が振動発電部を有すると、殺菌容器１の振動による発電と水の撹拌の両作用を奏する。但し、電力発生装置４は、振動発電部１２の代わりに、太陽光発電部等、他の電力発生手段を有していても良い。
【００２３】
次に、図２を用いて、電源回路部１３の内部回路の一例について説明する。
【００２４】
電源回路部１３は、例えば、振動発電部１２に接続されて振動発電部１２が生成した交流を整流する整流回路部１４と、この整流回路部１４に接続されて整流回路部１４から出力された電力を蓄える蓄電部１５と、整流回路部１４に接続されて整流回路部１４から出力された電流を平滑化するコンデンサ１６と、振動発電部１２と発光ダイオードである殺菌装置３との間に接続されて両者の接続の有無を切り替えるスイッチ１７とを備える。蓄電部１５は、一例としてリチウムイオン電池であるが、他種の電池でもよく、また、電気二重層コンデンサ等の容量の大きなコンデンサでも良い。尚、電源回路部１３が蓄電部１５を備えていると、振動発電部１２が発電を終了した後も暫くの間は継続して殺菌装置３を動作させることができるので望ましいが、電源回路部１３が蓄電部１５を備えていなくとも振動発電部１２が生成した電力をそのまま殺菌装置３に供給すれば殺菌装置３の紫外線放射は可能である。更に、電源回路部１３は電圧を上げる昇圧部（図示せず）を備えていても良い。
【００２５】
また、図３に示すように、電源回路部１３は、殺菌装置３への所定値以上の電圧出力を抑制する保護回路部１８を備えていることが、殺菌装置３（発光ダイオード）の保護という観点から望ましい。
【００２６】
尚、上記説明は、電力発生装置４が振動発電部１２を有すると共に殺菌装置３が発光ダイオードである場合の電源回路部１３の一例であるが、電力発生装置４が太陽光発電部を有する場合や殺菌装置３が他の殺菌手段である場合などは、電源回路部１３は上記とは異なる構成であることは言うまでもない。
【００２７】
以下、上記構成の殺菌容器１の使用方法を、図１を用いて説明する。
【００２８】
ユーザは、給水用蓋１９を開けて容器２の給水口２０から水を容器２に注入し、給水用蓋１９と飲用蓋５を閉めた後に、殺菌容器１を容器２の軸６方向に複数回振動させる。これによって、磁石９が第１の筒７内を往復し、コイル８は誘導起電力を生成する。生成された電力は、蓄電部１５に蓄えられる。その後、ユーザがスイッチ１７を押下（オン）する。これにより、蓄電部１５と殺菌装置３とが通電し、電力供給を受けた殺菌装置３が紫外線を放射することで、水に含まれる微生物を死滅させる。このとき、ユーザがスイッチ１７を押下（オン）した後に殺菌容器１を振動させた場合は、殺菌装置３は振動発電部１２からも電力供給を受け紫外線を放射する。そして、殺菌装置３が動作してから所定時間経過後に、ユーザは飲用蓋５を開けて容器２の飲用口から、細菌類等の微生物の少ない、より安全な水を飲むことができる。即ち、殺菌容器１が外部から電力供給を受けなくとも、殺菌容器１を動作させることが可能となるので、ユーザは電気供給の受けられない場所でもこの殺菌容器１を使用することができるようになる。また、ユーザが水道設備の整っていない地域に長期間滞在する場合、或いは災害時に、この殺菌容器１を長時間使用しても、電池切れを心配する必要がないので、殺菌容器１のユーザ利便性を向上することができる。また、電力発生装置４が振動発電部１２を有する場合には、殺菌容器１の振動による発電と水の撹拌の両作用を奏する。
【００２９】
尚、殺菌装置３が紫外線放射装置である場合に、殺菌容器１は容器２の内壁面を覆う反射膜（図示せず）を備え、紫外線波長領域おける反射膜の反射率が容器２の内壁面の反射率より高いことが望ましい。これにより、反射膜が紫外線を反射するので、水中の微生物の死滅割合が高まると共に、紫外線が容器２の外部に放射されることを抑制し、ユーザの目や皮膚等に紫外線が放射されることを防止する。また、殺菌容器１が容器２の内壁面に反射膜を有さなくとも、容器２をその内側に紫外線を９０％以上反射させるような材質又は構成とすることで、水中の微生物の死滅割合が高まると共に、紫外線が容器２の外部に放射されることを抑制する。例えば、容器２の内壁面が鏡面加工されている構成とすればこの効果を高めることができる。さらに、紫外線波長領域における容器２（若しくは容器２に貼付された反射膜）の透過率より可視光波長領域における容器２（若しくは容器２に貼付された反射膜）の透過率が高ければ、ユーザが目視で水位を確認できると共に、ユーザの目や皮膚等に紫外線が放射されることを防止することができる。
【００３０】
また、殺菌容器１は殺菌装置３の動作中に音と可視光の少なくとも一方を発する報知部２１を備えていることが望ましい。これにより、ユーザは殺菌装置３が正常に動作していることを知ることができる。
【００３１】
さらに、報知部２１が殺菌装置３の動作開始から所定時間経過後に音と可視光の少なくとも一方を発する場合は、微生物の死滅割合が所定レベル以上になったことをユーザは知ることができる。
【００３２】
さらにまた、図４に示すように、電力発生装置４が振動発電部１２を有する構成において、容器２の内壁面に突起部２２を設けることで、電力を発生させようとユーザが殺菌容器１を振った際における容器２内の水の流動方向が複雑化する。これにより、水中の微生物の死滅割合を高めることができる。
【００３３】
（実施の形態２）
以下、本発明の実施の形態２の殺菌容器について、図面を用いて説明する。図５は、本発明の実施の形態２の殺菌容器３１の透視模式図である。尚、特に説明しない限りにおいて、その構成は実施の形態１と同様であり、実施の形態１と同様の構成については同一の符号をつけてその説明を省略する。
【００３４】
図５において、殺菌装置３は電流発生装置である。この殺菌装置３は、容器２の内壁面に固定された正電極板３２と、容器２の内壁面に固定されると共に正電極板３２に対向して配置された負電極板３３とを備える。この殺菌装置３が電力発生装置（図示せず）から清流回路部（図示せず）や昇圧部（図示せず）等を介して電力を受け、水中に高電流を流すことで、水中の微生物を死滅させる。
【００３５】
また、電力発生装置は圧電効果によって電力を生成する振動発電部（図示せず）を有する。この振動発電部は小型であるので、容器２外の電源回路部１３に内包することができる。
【００３６】
この構成により、殺菌容器３１が外部から電力供給を受けなくとも、殺菌容器３１を動作させることが可能となるので、ユーザは電気供給の受けられない場所でもこの殺菌容器３１を使用することができる。また、例えば、ユーザが水道設備の整っていない地域に長期間滞在するとき、或いは災害時に、この殺菌容器３１を長時間使用しても、電池切れを心配する必要がないので、殺菌容器３１のユーザ利便性を向上することができる。
【００３７】
さらに、電力を発生させる際にユーザが殺菌容器３１を振ると容器２内の水が撹拌し、水中の微生物の死滅割合を高めることができる。言い換えると、殺菌装置３を動作させようと電力を発生させる際、ユーザが忘れずに水を撹拌させることができ、水中の微生物の死滅割合が高まる。
【００３８】
（実施の形態３）
以下、本発明の実施の形態３の殺菌容器について、図面を用いて説明する。図６は、本発明の実施の形態３の殺菌容器４１の透視模式図である。尚、特に説明しない限りにおいて、その構成は実施の形態１と同様であり、実施の形態１と同様の構成については同一の符号をつけてその説明を省略する。
【００３９】
図６において、電力発生装置４は、殺菌容器１の側面に設けられると共にユーザが破線矢印方向に可動な（回動可能な）ハンドル４２と、このハンドル４２の動きに基づいて磁石とコイルによる電磁誘導によって電力を生成しこの生成した電力を電源回路部１３を介して殺菌装置３に供給するダイナモ装置（図示せず）を備える。
【００４０】
この構成により、殺菌容器４１が外部から電力供給を受けなくとも、殺菌容器４１を動作させることが可能となるので、ユーザは電気供給の受けられない場所でもこの殺菌容器４１を使用することができる。また、例えば、ユーザが水道設備の整っていない地域に長期間滞在するとき、或いは災害時に、この殺菌容器４１を長時間使用しても、電池切れを心配する必要がないので、殺菌容器４１のユーザ利便性を向上することができる。
【００４１】
さらに殺菌容器４１は、容器２内に配置されると共にハンドル４２の動きに連動して実線矢印方向に回動するフィンを備える。このフィン４３の回動により、容器２内に入れられた水が撹拌される。
【００４２】
この構成により、電力を発生させる際にユーザがハンドル４２を動かすと容器２内の水が撹拌し、水中の微生物の死滅割合を高めることができる。言い換えると、殺菌装置３を動作させようと電力を発生させる際、ユーザが忘れずに水を撹拌させることができ、水中の微生物の死滅割合が高まる。
【産業上の利用可能性】
【００４３】
本発明の殺菌容器を長時間使用しても、電池切れを心配する必要がなく、ユーザが水道設備の整っていない地域に長期間滞在する場合や災害時に有用である。
【符号の説明】
【００４４】
１、３１、４１  殺菌容器
２  容器
３  殺菌装置
４  電力発生装置
５  飲用蓋
６  軸
７  第１の筒
８  コイル
９  磁石
１０  第２の筒
１１  蓋部
１２  振動発電部
１３  電源回路部
１４  整流回路部
１５  蓄電部
１６  コンデンサ
１７  スイッチ
１８  保護回路部
１９  給水用蓋
２０  給水口
２１  報知部
２２  突起部
３２  正電極板
３３  負電極板
４２  ハンドル
４３  フィン
【図１】
2013075257.tif 000003
【図２】
2013075257.tif 000004
【図３】
2013075257.tif 000005
【図４】
2013075257.tif 000006
【図５】
2013075257.tif 000007
【図６】
2013075257.tif 000008
【図７】
2013075257.tif 000009